(57)【要約】【課題】  簡単な構成により、トラブル発生時の重複送信あるいはプリントアウトの無駄をなくし、且つ、読取時間の短縮を図ることができる両面読取可能な画像読取装置を提供する。【解決手段】  読取った画像情報を記憶する画情報記憶手段２４ａと、自動原稿送り装置１により原稿Ｄの第１面の画像情報を読取った後に装置トラブルが発生した時は、搬送読取走査を一旦停止すると共に、読取った第１面の画像情報を前記画情報記憶手段２４ａに記憶保持する。そして、トラブルの修復後の再稼動時には、第２面の画像から読取走査を開始するよう制御する制御手段２０とを備えている。【選択図】        図３
2005277532.tif 000002
【特許請求の範囲】
【請求項１】
原稿載置部上にセットされた原稿を１枚ずつ繰出し、原稿搬送路を搬送させながら、前記原稿搬送路の途中に配設された読取部によって原稿の画像を順次読取る自動原稿送り装置を備えた両面読取可能な画像読取装置であって、
読取った画像情報を記憶する画情報記憶手段と、
前記自動原稿送り装置により原稿の第１面の画像情報を読取った後に装置トラブルが発生した時は、搬送読取走査を一旦停止すると共に、読取った第１面の画像情報を前記画情報記憶手段に記憶保持し、
前記トラブルの修復後の再稼動時には、第２面の画像から読取走査を開始するよう制御する制御手段とを備えたことを特徴とする画像読取装置。
【請求項２】
前記装置には表示部を備え、前記制御手段は、前記修復後の再稼動時における第２面の画像読取走査を、自動原稿送り装置により行うか否かについての選択要求ガイダンスを前記表示部に表示させることを特徴とする請求項１に記載の画像読取装置。
【請求項３】
前記再稼動時の第２面の画像の読取走査を、原稿載置部に原稿を戻し前記自動原稿送り装置により行う場合は、前記制御手段は、原稿を搬送させながら第１面を空走査した後に第２面の読取走査を実施し、この空走査時には原稿搬送速度を高めるよう制御することを特徴とする請求項２に記載の画像読取装置。
【発明の詳細な説明】
【技術分野】
【０００１】
本発明は、原稿載置部上にセットされた原稿を１枚ずつ繰出し、原稿搬送路を搬送させながら、前記原稿搬送路の途中に配設された読取部によって原稿の画像を順次読取る自動原稿送り装置（ＡＤＦ）を備えた両面読取可能な画像読取装置に関する。
【背景技術】
【０００２】
近時、ＡＤＦにより原稿を搬送させながらその両面画像の読取が可能な画像読取装置を備えたファクシミリ装置や複写装置等の画像形成装置が開発され、実用化されるようになった。特許文献１は、その１例を示すものであり、原稿を１枚ずつ繰出し、ＡＤＦにより搬送させながら、途中に静止する読取走査装置により、原稿の第１面の画像を読取り、その後原稿をスイッチバックさせて再度読取走査装置に導入して第２面の画像を読取らんとするものである。また、原稿搬送路の両側に２個の読取走査装置を配設し、１回の通紙で両面の画像読取を行う所謂１スルータイプの両面画像読取装置も実用化されている。
【０００３】
前記のような画像読取装置を備えた画像形成装置では、読取られた画像情報は一旦記憶手段に記憶され、その後送信され、或いは記録部でプリントアウトされる。そして、このようなＡＤＦを用いて両面画像読取を行う場合、原稿第１面の画像を読取った後、第２面の画像の読取前或いは読取中に原稿ジャム等の装置トラブルが発生した場合、トラブルのあった原稿を取出し、トラブル修復後、ＡＤＦに原稿を通紙し、再度両面の画像読取がなされる。この場合、トラブル前に読取った第１面の画像情報は記憶手段に記憶されているから、トラブル修復後に読取った第１面の画像情報が重複することになり、これをそのまま送信したり記録部でプリントアウトすると、送信先のファクシミリ装置や自機の記録部で同じページが２枚出力されたりする。
【０００４】
このように、同じページを２枚プリントアウトすると、記録紙や記録用インク、トナー或いはインクリボン等を無駄に消費することになり、またファクシミリ装置の場合は通信費が嵩む原因ともなる。特許文献２は、ＡＤＦで給送された原稿を、フラットベットスキャナ（ＦＢＳ）のコンタクトガラス（プラテンガラス）上に静止させ、その下面を読取走査装置を移動走査して第１面の画像を読取らせ、その後、スイッチバックして第２面の画像を同様に読取らせるようにしたファクシミリ装置の例を示すものである。そして、本特許文献２では、前記のような２枚プリントアウトの無駄をなくす為に、トラブル修復後の再読取の際には、読取が完了している第１面の画像情報を、記憶手段から削除するよう制御することが開示されている。
【特許文献１】特開平８−１３３５５１号公報
【特許文献２】特開２００１−４５２１８号公報
【発明の開示】
【発明が解決しようとする課題】
【０００５】
前記特許文献２のファクシミリ装置によれば、重複送信及びプリントアウトの無駄がなくなるが、一旦記憶した画像情報を、読取送信操作ジョブから削除することになるから、その制御シーケンスが複雑となり、また、送信ミス（脱ページ等）の原因となることも予想される。更に、同一ページを２度読むことになるから、読取時間の無駄も生じることになる。このように、特許文献２に開示された技術的手段によってもなお解決課題が残存しており、その抜本的な改善が望まれるところであった。
【０００６】
本発明は、前記従来例での課題を解決しようとするもので、簡単な構成により、トラブル発生時の重複送信或いはプリントアウトの無駄をなくし、且つ読取時間の短縮を図ることができる両面読取可能な画像読取装置を提供するものである。
【課題を解決するための手段】
【０００７】
本発明は、原稿載置部上にセットされた原稿を１枚ずつ繰出し、原稿搬送路を搬送させながら、前記原稿搬送路の途中に配設された読取部によって原稿の画像を順次読取る自動原稿送り装置を備えた両面読取可能な画像読取装置に関する。
請求項１の発明は、読取った画像情報を記憶する画情報記憶手段と、
前記自動原稿送り装置により原稿の第１面の画像情報を読取った後に装置トラブルが発生した時は、搬送読取走査を一旦停止すると共に、読取った第１面の画像情報を前記画情報記憶手段に記憶保持し、
前記トラブルの修復後の再稼動時には、第２面の画像から読取走査を開始するよう制御する制御手段とを備えたことを特徴とする。
【０００８】
請求項２の発明は、前記装置には表示部を備え、前記制御手段は、前記修復後の再稼動時における第２面の画像読取走査を、自動原稿送り装置により行うか否かについての選択要求ガイダンスを前記表示部に表示させることを特徴とする。
【０００９】
請求項３の発明は、前記再稼動時の第２面の画像の読取走査を、原稿載置部に原稿を戻し前記自動原稿送り装置により行う場合は、前記制御手段は、原稿を搬送させながら第１面を空走査した後に第２面の読取走査を実施し、この空走査時には原稿搬送速度を高めるよう制御することを特徴とする。
【発明の効果】
【００１０】
本発明の画像読取装置によれば、原稿の第１面の画像情報を読取った後に装置トラブルが発生した時は、搬送読取走査を一旦停止すると共に、読取った第１面の画像情報を前記画情報記憶手段に記憶保持し、トラブルの修復後の再稼動時には、第２面の画像から読取走査を開始するようにしているから、前記修復後の再稼動時に、第１面の画像情報が重複することがなく、従って、重複送信や重複プリントアウト等による無駄が生じることがない。しかも、一旦読取った画像情報を読取送信操作ジョブから削除するような複雑な制御シーケンスを構築する必要もない上に脱ページ等の送信ミスも生じる懸念もない。更に、既に読取った第１面の画像情報を再度読取ることがないから、読取時の時間的な無駄も生じないのである。
【発明を実施するための最良の形態】
【００１１】
以下に本発明の実施の形態について図面を参照して説明する。図１は原稿読取装置の一例を示す縦断面図、図２は同制御ブロック図、図３は同原稿読取のフロー図、図４は同原稿読取フローにおける表示部でのガイダンスの例を示す図、図５は別のガイダンスの例を示す図である。
【実施例】
【００１２】
図例の画像読取装置Ａは、自動原稿送り装置（ＡＤＦ）１により、シートものの原稿Ｄを１枚ずつ搬送しながら、その両面画像を読み取って、デジタル信号として出力するための両面画像読取装置として構成されている。ＡＤＦ１の原稿供給口部２ａには、原稿供給トレイ２ｂが前記原稿供給口部２ａに向かって下方に傾斜するよう着脱自在に装着され、この原稿供給口部２ａと原稿供給トレイ２ｂとにより原稿載置部２が構成されている。原稿供給口部２ａ上には、原稿供給トレイ２ｂに堆積された原稿Ｄを上層部より繰出すピックアップローラ３が配設され、このピックアップローラ３に引き続き、繰出された原稿を１枚ずつ分離して給送する原稿分離手段４が装備されている。前記原稿分離手段４は、分離ローラ４ａとこの分離ローラ４ａに押圧され、反方向に回転付勢されたリタードローラ４ｂとからなる。
【００１３】
ピックアップローラ３で繰出された原稿は、分離ローラ４ａとリタードローラ４ｂとの間に導入され、分離ローラ４ａの回転に伴う両者の紙に対する摩擦係数の差及びリタードローラ４ｂの反回転付勢作用により１枚ずつ分離され、下流側に給送される。尚、原稿分離手段４として、分離ローラ４ａとリタードローラ４ｂとよりなるものに代え、分離ローラと分離パッドとの組合わせによるもの等も採用可能であることは言うまでもない。
【００１４】
前記原稿分離手段４により１枚ずつ分離された原稿は、Ｕターン状に形成された原稿搬送路５に沿って順次配設されたレジストローラ（レジスト手段）６及び大径搬送ローラ７によりレジスト搬送されて読取ポイント（読取部）Ｐに給送され、その後排出ローラ８により排出トレイ９に排出される。これらローラ６、７及び８には給送される原稿Ｄをニップするプレッシャーローラ６ａ、７ａ、７ｂ及び８ａが弾接されている。そして、排出ローラ８は正逆転可能とされ、読取ポイントＰで第１面の画像が読み取られた原稿の後端が排出ローラ８に至ると、排出ローラ８はプレシャーローラ８ａとによって原稿の後端をニップした状態で一旦停止し、その後逆転してスイッチバック搬送路１０から原稿搬送路５を経て読取ポイントＰに再度原稿を給送して、原稿の第２面の画像が読取られるよう構成されている。スイッチバック搬送路１０への分岐部には、切替ゲート１０ａが設置され、この切替ゲート１０ａは、排出ローラ８を反転駆動させて原稿Ｄをスイッチバックさせる時は、破線の位置に切替わり、スイッチバック搬送路１０側が開くよう制御される。
【００１５】
前記読取ポイントＰにはスリットガラス（プラテン）１１が配置され、原稿が前記スリットガラス１１上を通過する際、このスリットガラス１１の下部に待機された（図１における２点鎖線部参照）画像読取走査装置１２により原稿表面の画情報が逐次読み取られ、前記のようにデジタル信号として出力される。画像読取走査装置１２は、平板式読取走査装置（ＦＢＳ）を兼ねるものであり、上面にプラテンガラス１８が設置された箱型の読取走査用筐体１３内に、フルレートキャリッジ（走査キャリッジ）１４と、ハーフレートキャリッジ（走査キャリッジ）１５と、集光レンズユニット１６と、ＣＣＤ１７とを配設してなる。
【００１６】
フルレートキャリッジ１４は、キャリッジフレーム１４ａに、蛍光灯若しくは冷陰極管からなる光源１４ｂと、第１ミラー１４ｃとを搭載してなり、駆動ベルト１４ｄに連結され、且つ不図示のガイドレールに摺動可能に支持されて、前記筐体１３内をその略全範囲に亘り左右に往復動する。前記ハーフレートキャリッジ１５は、キャリッジフレーム１５ａに、互いに９０°の角度をなす第２、第３ミラー１５ｂ、１５ｃを搭載してなり、前記フルレートキャリッジ用駆動ベルト１４ｄの１／２の速度で駆動する駆動ベルト１５ｄに連結され、且つ不図示のガイドレールに摺動可能に支持されて、筐体１３内をその略左半部の範囲に亘り左右に往復動する。
【００１７】
前記駆動ベルト（歯付ベルトも可）１４ｄ、１５ｄは、同軸的に軸装され且つ径が２：１の駆動プーリー１４ｅ、１５ｅに夫々掛け渡され、同一のモータ（不図示）により駆動される。従って、これら駆動ベルト１４ｄ、１５ｄに連結されたフルレートキャリッジ１４及びハーフレートキャリッジ１５は、モータの作動により、２：１の速度比で、互いに追従するよう往復動する。集光レンズユニット１６及びＣＣＤ１７は、筐体１３の底板１３ａに固定状態とされており、プラテンガラス１８上に置かれた原稿Ｄ１の読取の際は、筐体１３内の左側部に待機するフルレートキャリッジ１４及びハーフレートキャリッジ１５の右方への移動に伴い、光源１４ｂから原稿Ｄ１に照射された反射光が、第１〜第３ミラー１４ｃ、１５ｂ、１５ｃで反射を繰り返し、集光レンズユニット１６を経て、ＣＣＤ１７に逐次入光し結像される。ＣＣＤ１７では、結像した光情報がデジタルの電気信号に変換され出力される。
【００１８】
また、ＡＤＦ原稿Ｄの読取の際は、前記のように、フルレートキャリッジ１４が、スリットガラス１１の直下の位置に移動待機して静止し（ハーフレートキャリッジ１５も所定の待機位置に静止する）、前記ＡＤＦ１によってスリットガラス１１上を連続搬送される原稿Ｄの画像が同様に読み取られる。このような読取走査の間、原稿Ｄ或いはＤ１で反射した光は光路Ｌを辿ってＣＣＤ１７に入光するが、フルレートキャリッジ１４及びハーフレートキャリッジ１５の移動速度比が２：１とされているから、所謂物象間距離は常に一定となり、これにより読取画像品質が一定に保たれる。
【００１９】
前記ＡＤＦ１、原稿供給トレイ２ｂ及び排出トレイ９は、一体化されてプラテンカバーを構成し、紙面奥側をヒンジ部（不図示）として上下に開閉可能とされている。従って、ＦＢＳにて原稿読み取りを行う際は、このプラテンカバーを開け、露見したプラテンガラス１８上に原稿を載置することによりなされる。また、ＡＤＦ１の原稿載置部２には、原稿有無判別センサ１９及び原稿幅検出センサ（不図示）が設置され、原稿載置部２上の原稿の有無及びその幅サイズが判定される。プラテンガラス１８上の原稿も同様のセンサ（不図示）によって判定されるが、両方に原稿が置かれている場合は、通常は原稿載置部２上の原稿が優先され、ＡＤＦ１での読取りがなされる。
【００２０】
なお、画像読取走査装置１２としては、光源１４ｂ、複数のミラー１４ｃ、１５ｂ、１５ｃ、レンズユニット１６及びＣＣＤ１７を１つの走査キャリッジに搭載して、プラテンガラス１８の下面に沿って往復動させるものであってもよい。
【００２１】
次に、前記構成の原稿読取装置Ａにおける制御システムについて説明する。図２は複写機能或いはプリンタ機能も備えたファクシミリ装置を例にした制御システムのブロック図を示す。主制御部（制御手段）２０はＣＰＵからなり、ファクシミリ装置としての全ての機能の動作制御を司る。ＮＣＵ２１及びモデム２２は、外部ファクシミリ装置と回線接続して、この通信回線を介した送信及び受信に伴う各種伝送信号を、変調及び復調するべく機能するものである。画像メモリー２３は、主に、外部端末（ファクシミリ装置やパソコン）より受信した画像データを一時的に記憶するものである。ＲＡＭ２４は、画像読取走査装置１２により読取った画情報を一時的に記憶する画情報記憶手段２４ａを含むとともに、ワンタッチダイヤル番号等の各種データの記憶部をも含む。ＲＯＭ２５は、ファクシミリ装置の各種動作プログラムを格納するものである。
【００２２】
表示部２６は、液晶パネル等からなり、操作手順やエラー表示等の各種情報或いはガイダンスを、視覚的にオペレータに知らせる為のものである。操作部２７は、不図示のスタートキー、テンキーや各種機能キー（片面・両面読取モード設定キーを含む）の他に、オペレータによって操作される各種操作手段からなる。読取部１２及び原稿給紙装置１は、図１における画像読取走査装置１２及びＡＤＦ１に夫々相当する。また、記録部２８は、読取部１２で読取られた画像データや、ＮＣＵ２１を介し受信した画像データ更にはパソコン等の外部端末機から受信した画像データを印字出力するものであり、電子写真方式、インクリボン方式或いはインクジェット方式等、公知の記録手段が採用される。ジャム検知手段２９は、図１における原稿搬送路５及びスッチバック搬送路１０の要所要所に配置されたジャム検出センサ（不図示）からなり、これら搬送路５、１０を給送される原稿が滞った時にジャム信号を出力する。
【００２３】
次に、図１及び図３のフロー図に基づき、ファクシミリ送信の為にＡＤＦを用いて両面画像読取を実行する手順について説明する。原稿載置部２上には原稿Ｄが第１面（表面）が上になるようページ順にセットされ、オペレータによって、両面読取である旨の機能設定がなされた上で、スタートキーが操作されると、ＡＤＦ１によって原稿の給紙がなされる（ステップＳ２）。尚、この時、事前に読取カウンター（不図示）は、Ｎ＝０にリセットされている（ステップＳ１）。その後、原稿Ｄが原稿搬送路５を給送され、ジャムの発生もなく（ステップＳ３のＮ）読取ポイントＰに至り、スリットガラス１１上を通過すると、その間に、表面の画像がスリットガラス１１の直下に待機静止する画像読取走査装置１２により読取走査され、その画情報が画情報記憶手段２４ａに記憶蓄積される（ステップＳ４）。ここで、読取カウンターのＮは、１インクリメントされる（ステップＳ５）。
【００２４】
次いで、表面の画像が読取られた原稿Ｄの後端が排出ローラ８に至ると、前記排出ローラ８が一旦停止し、プレシャーローラ８ａとによって原稿の後端をニップした状態で切替ゲート１０ａがスイッチバック搬送路１０側に切り替わる。その後、排出ローラ８が逆転を開始し、原稿Ｄがスイッチバック搬送路１０に向け反転搬送される（ステップＳ６）。原稿Ｄは、その後原稿搬送路５に再度給送され、ジャムの発生もなく（ステップＳ７のＮ）、第２面（裏面）が下向きの状態で再度読取ポイントＰに至り、スリットガラス１１上を通過すると、その間に、裏面の画像が前記同様画像読取走査装置１２により読取走査され、その画情報は画情報記憶手段２４ａに記憶蓄積される（ステップＳ８）。ここで、読取カウンターのＮは、更に１インクリメントされ、偶数となる（ステップＳ９）。
【００２５】
両面読取りが完了した原稿Ｄは、排出ローラ８の逆転及び切替ゲート１０ａの切替により、再度スイッチバック搬送路１０及び原稿搬送路５を読取走査されずに（空走査）搬送され、排出トレイ９上に排出される（ステップＳ１０）。この空走査を伴う原稿反転・排紙により排出トレイ９上には表面が下向きでページ順に堆積されることになるが、ページ順よりも処理時間の短縮が求められる場合には、ステップＳ１０を割愛するよう設定することも可能である。ステップＳ１０の実行の間、ジャム発生がなければ（ステップＳ１１のＮ）、ステップＳ１２で次原稿の有無を判別し（原稿有無判別センサ１９がオン）、原稿ありと判別されれば（ステップＳ１２のＹ）、ステップＳ２の前に戻り、前記同様次原稿Ｄの両面読取動作が実行され、これが順次繰り返される。
【００２６】
そして、全ての原稿読取が完了すると（ステップＳ１２のＮ）、画情報記憶手段２４ａに記憶蓄積された画情報がページ順に読出され、ＮＣＵ２１を介し外部ファクシミリ装置に送信される（ステップＳ１３）。尚、原稿Ｄの裏面は、前記スイッチバック機構によりその後端から読取られているから、画情報記憶手段２４ａからの読出しに際して、読取カウンターのＮが偶数に対応する読取画情報（裏面画情報）については、読取とは逆向きに読出走査がなされるよう制御される。
【００２７】
次に、原稿ジャム等の装置トラブルが発生した場合の手順について述べる。即ち、ステップＳ３及びステップＳ７において原稿ジャムが検出されると（両ステップがＹ）、ＡＤＦ１が停止し（ステップＳ１４）、表示部２６には、ジャムである旨、ジャム箇所及び処置要領等についてのガイダンスが表示される。オペレータはそのガイダンスの指示に従い装置のカバー等を開け、ジャムした原稿を取り出して、ジャム解除がなされる（ステップＳ１５）。前記主制御部２０では、装置のカバー等が閉められ、ジャム解除がなされたと判定すると、図４に示すように、表示部２６に、継続して読取りを実行するか否かの問いかけと、その処置要領についてのガイダンスを表示させる。このような問いかけを行うのは、ジャム等の装置トラブルが発生した場合、オペレータは読取完了したものだけを取り敢えず送信し、残りは別途或いは別の装置で送信することを望むこともあるからである。
【００２８】
前記ガイダンスに基づき、オペレータによって継続読取をしない旨の選択がなされた場合（ステップ１６のＮ）、ステップＳ１３の前にスキップし、画情報記憶手段２４ａにそれまでに記憶蓄積された画情報の送信が開始され（ステップＳ１３）、その後終了する。一方、継続読取をする旨の選択がなされた場合（ステップ１６のＹ）、主制御部２０は、図５に示すように表示部２６に、ＡＤＦを使用するか否かの問いかけとその処置要領についてのガイダンスを表示させる。このような問いかけを行うのは、ジャムした原稿はダメージを受けていることがあり、そのままＡＤＦ１に通紙すると再度ジャムが発生する可能性があるので、ダメージの度合いを見て、オペレータにＡＤＦ１への通紙が可能かどうかを判断させる為である。
【００２９】
前記ガイダンスに基づき、オペレータによってＡＤＦを使用しない旨の選択がなされた場合（ステップ１７のＮ）、オペレータは取出した原稿Ｄの未読取面（ステップＳ３でのジャムの場合は表面、ステップＳ７でのジャムの場合は裏面）を下にして、ＦＢＳ用のプラテンガラス１８の上に置き、スタートボタンをオンとする。このオン操作により、画像読取走査装置１２が、プラテンガラス１８の下面に沿って往復移動し、原稿Ｄの画像が読取られ、画情報記憶手段２４ａに記憶蓄積される（ステップＳ２０）。ここで読取カウンターのＮが１インクリメントされる（ステップＳ２１）。
【００３０】
ステップＳ２０で原稿Ｄの裏面読取りがなされた場合は、ステップＳ１６及び／若しくはステップＳ１７で、読取終了若しくは通常のＡＤＦでの読取ルーチンに戻るかの選択がなされる。また、ステップＳ２０で原稿Ｄの表面読取りがなされた場合は、ステップＳ１６及び／若しくはステップＳ１７で、読取終了若しくはＦＢＳでの裏面読取を実行するかの選択がなされ、ＦＢＳでの裏面読取が選択された場合、前記同様ステップＳ２０及びステップの手順が実行される。表裏のＦＢＳ読取りが終了した原稿は、ＡＤＦ１に戻す必要がないので、オペレータによって排出トレイ９上に下向きに置かれる。
【００３１】
図５に示すガイダンスに基づきＡＤＦの使用が選択されたとき（ステップＳ１７のＹ）、オペレータは取り出した原稿Ｄの表面を上にして原稿供給トレイ２ａ（原稿載置部２）の上に置き、スタートボタンをオンとする。この時、主制御部２０は、読取カウンターのＮが奇数か否かを判断し（ステップＳ１８）、奇数と判断した場合（ステップＳ１８のＹ）、主制御部２０は、図１におけるピックアップローラ３から排出ローラ８に至るＡＤＦ１の搬送系の速度を高く設定し、原稿の給紙を行う（ステップＳ１９）。この原稿の表面の画像読取は完了し、その画情報は画情報記憶手段２４ａに記憶保持されているから、ここでの給紙・給送の間は画像読取走査装置１２がオフとされ（所謂空走査）、原稿の後端が排出ローラ８に至ると、ステップＳ６に戻り、通常の裏面の読取手順が実行される。
【００３２】
従って、表面の画像の読取が完了した後にジャムが発生した原稿Ｄを、引続きＡＤＦ１で読取を継続する場合、或いはＦＢＳによって読取を継続する場合は、表面の画情報が画情報記憶手段２４ａに記憶保持した状態で裏面の画像読取を実行するようにしているから、従来のように、一旦読取った画情報を削除するような煩わしい手順が不要とされ、そのシークエンスの構築も簡易になされる。また、この原稿の表面がＡＤＦ１により空走査される間は、ＡＤＦ１の搬送系の速度が高められるから、ジャム解除後の再読取手順が効率的に実行される。
【００３３】
ステップＳ１８で、奇数でない（Ｎが０か偶数）と判定された場合、ステップＳ２の前に戻る。ここでのＮが０か偶数である場合は、ステップＳ３でジャムが生じた場合か、ステップＳ２０で裏面の読取が完了した場合であるが、後者の場合は、表裏の画像読取が完了した原稿は、オペレータによって排出トレイ９に置かれるから、ステップＳ２では、原稿供給トレイ２ａ上の未読取原稿の繰出・給送がなされることになる。また、前者の場合は、ジャムの処置時に取り出された原稿が、オペレータによって表面を上にして原稿供給トレイ２ａに戻されるから、ステップＳ２では、この戻された原稿の繰出・給送がなされることになる。従って、それ以降のステップでは給送された原稿表面・裏面の画像の読取が順次なされる。
【００３４】
また、ステップＳ１１でジャムが発生した時（ステップＳ１１のＹ）は、前記同様ＡＤＦ１が停止し（ステップＳ２２）、表示部２６には、ジャムである旨、ジャム箇所及び処置要領等についてのガイダンスが表示される。オペレータはそのガイダンスの指示に従い装置のカバー等を開け、ジャムした原稿を取出しジャム解除がなされる（ステップＳ２３）。この場合、原稿の表裏両面の読取が完了しているので、オペレータは取り出した原稿を排出トレイ９に置けばよく、オペレータによってカバー等が閉められると、装置は通常のルーチンに戻り、ステップＳ１２から前記手順が再開する。
【００３５】
なお、前記説明では、スイッチバック方式の両面画像読取装置を例に述べたが、１回の通紙で両面の画像読取を行う、いわゆる１スルータイプの両面画像読取装置にも本発明が適用可能である。即ち、図１の例で言えば、読取ポイントＰの下流側に、給送される原稿の反対面に接する密着型センサ等の第２の読取手段を配設し、原稿の１回の通紙で表裏両面の画像を読取らんとするものである。この場合は、排出ローラ８の逆転機能や、スイッチバック搬送路１０及び切替ゲート１０ａは不要とされる。また、図３のフロー図では、ステップＳ６の原稿反転がなく、ステップＳ１０では原稿反転がなくそのまま排紙となる。従って、この例でも、表面の画像読取が完了した後のジャム時には、読取った画情報は画情報記憶手段２４ａに記憶保持されるから、ジャム解除後の再開時には、読取ポイントＰでは空走査し、第２の読取手段によって裏面の画像読取からスタートすることができ、極めて簡易且つ効率的な両面読取の実行が可能となる。
【００３６】
また、前記説明では、ファクシミリ送信する場合の両面読取の例を述べたが、読取った画像を自機の記録部２８（図２参照）で逐次プリントアウト（複写）する場合にも適用されることは言うまでもない。この場合、図３におけるステップＳ１３は、「プリントアウト開始」となり、表裏両面の読取りが完了したものについて逐次進行するよう、フローとしては、ステップＳ１２の前に位置することになる。
【図面の簡単な説明】
【００３７】
【図１】原稿読取装置の一例を示す縦断面図である。
【図２】同制御ブロック図である。
【図３】同原稿読取のフロー図である。
【図４】同原稿読取フローにおける表示部でのガイダンスの例を示す図である。
【図５】別のガイダンスの例を示す図である。
【符号の説明】
【００３８】
１    ＡＤＦ（自動原稿送り装置）、  ２    原稿載置部、  ５    原稿搬送路、
１２    画像読取走査装置（読取部）、  ２０    主制御部（制御手段）、
２４ａ    画情報記憶手段、  ２６    表示部、
Ａ    画像読取装置、  Ｄ    原稿。
【図１】
2005277532.tif 000003
【図２】
2005277532.tif 000004
【図３】
2005277532.tif 000005
【図４】
2005277532.tif 000006
【図５】
2005277532.tif 000007